(57)【要約】【課題】  デザインの設計自由度が高く、しかも侵入を確実に阻止することができる塀を提供すること。【解決手段】  柵５の支柱３の下部を、弾性体６を介して基礎体２に支持させ、柵５の表面に対して垂直な方向の人力が作用した場合に、柵５が傾動するようにしたことを特徴とする。侵入者が塀１を登ろうとして柵５に手を掛けると、その力によって、柵５は手前に傾動し、柵５がいわゆる忍び返しの状態になるため、柵５に登ることができなくなる。【選択図】  図１
2006266066.tif 000002
【特許請求の範囲】
【請求項１】
支持部材を有する柵と、
前記支持部材の下部を基礎体に対して支持するとともに、前記柵に対して垂直な方向の人力が作用した場合に、前記柵が傾動するようにした弾性体と、
を備える塀。
【請求項２】
前記基礎体にストッパを設置し、前記柵が適宜角度傾動した場合に、前記柵のそれ以上の傾動を規制するようにしたことを特徴とする請求項１に記載の塀。
【請求項３】
前記柵は、複数の柵部分によって構成され、当該複数の柵部分は、前記支持部材と前記弾性体とを個別に有することを特徴とする請求項１および２のいずれか一項に記載の塀。
【請求項４】
隣り合う前記複数の柵部分を互いに連結した索条をさらに備えることを特徴とする請求項３に記載の塀。
【請求項５】
前記基礎体に対して前記柵が傾動した状態を検知する警報装置を設置したことを特徴とする請求項１から４のいずれか一項に記載の塀。
【発明の詳細な説明】
【技術分野】
【０００１】
本発明は、敷地内等への侵入者の侵入を防止した塀に関するものである。
【背景技術】
【０００２】
塀を越えて敷地内等に侵入されるのを防止するために、塀の上面全幅に亘って、回転体を配設し、侵入者が塀に登ろうとして回転体に手を掛けると、回転体が回転し、侵入者が塀に登ることができないようにした塀は存在する（例えば、特許文献１）。
【特許文献１】実用新案登録第３１０２９９４号公報（図１〜図５参照）
【発明の開示】
【発明が解決しようとする課題】
【０００３】
しかしながら、特許文献１の塀では、回転体を塀の上面全幅に亘って設置しなければならないため、塀のデザインに制約を受け、それだけデザインの設計自由度が小さくなってしまう。
【０００４】
本発明は、かかる問題点を解決するためになされたもので、デザインの設計自由度が高く、しかも侵入を確実に阻止することができる塀を提供することを目的としている。
【課題を解決するための手段】
【０００５】
本発明の塀は、柵の支持部材（例えば支柱）の下部を、弾性体を介して基礎体に支持させ、前記柵の表面に対して垂直な方向の人力が作用した場合に、前記柵が傾動するようにしたことを特徴とする。
【０００６】
ここで、「柵」とは、支柱に横桟を配したものばかりでなく、支柱に板を差し渡したもの、板全体の下端部を基礎体に支持させたもの等も含んでいる。また、「表面」とは、柵の支柱および横桟等によって画成される面をいう。また、「基礎体」とは、コンクリート等によって、地面に強固に設置されたもので、塀の下部の大部分が、例えば、１５０ｃｍ以上の高さを有するもの、塀の下部のみが、例えば、１００ｃｍ以下の高さを有するもの、さらには、地中に埋設したものがある。勿論、基礎体の高さが１００〜１５０ｃｍのものであってもよい。弾性体としては、ゴム等の材料によって形成されたもの、コイルスプリング，板ばね等によって形成されたものが挙げられる。そして、この弾性体の弾性係数は、柵が風等によって容易に傾動されない程度で、人が柵の表面に対して垂直な方向に引いたり、押したりした場合に、柵が完全に倒れ込まないように、適宜な角度、例えば１０〜４５度程度傾くように設定することが好ましい。
【０００７】
本発明の塀によれば、侵入者が塀を登ろうとして柵に手を掛けると、その力によって、柵は手前に傾動し、柵がいわゆる忍び返しの状態になるため、柵に登ることができなくなる。また、柵を傾動させる機能を有する弾性体が柵の下部と基礎体に設置されるため、柵のデザインは、弾性体に邪魔されること無く、自由に設計することができる。
【０００８】
本発明の具体的な態様では、前記基礎体にストッパを設置し、前記柵が適宜角度傾動した場合に、前記柵のそれ以上の傾動を規制するようにしたことを特徴とする。この場合、弾性体の弾性係数を風等によって傾動しない範囲に設定すればよく、それだけ設計自由度が増大する。
【０００９】
本発明の別の態様では、前記柵を複数の柵部分によって構成したことを特徴とする。この場合、柵部分を基礎体上にそれぞれ個々に設置することができるので、設置や施工が容易になる。
【００１０】
本発明のさらに別の態様では、隣り合う前記複数の柵部分を索条によって互いに連結したことを特徴とする。ここで、「索条」とは、ワイヤロープ，鎖等の紐状のものをいう。この場合、柵部分間からの侵入をより確実に阻止することができる。
【００１１】
本発明のさらに別の態様では、前記基礎体に対して前記柵が傾動した状態を検知する警報装置を設置したことを特徴とする。警報装置としては、フォトセンサ、振動センサ、傾斜センサ等の物理的な検知手段と、ベルを鳴らしたり，ライトを点灯したりして報知する報知手段とを組み合わせた電気制御的な装置が好適であるが、鈴等のいわゆる鳴子を設置したもの等も含まれる。この場合、柵が傾動された際に、警報が発せられるので、侵入をしようとする初期の段階で、侵入を阻止することができる。
【発明を実施するための最良の形態】
【００１２】
以下に、本発明に係る塀を、図面を参照しながら説明する。
図１は本発明に係る塀の一部を概念的に示した斜視図、図２は図１におけるＡ−Ａ線断面図、図３は図２における柵が傾斜した状態を示した断面図である。また、図４は本発明に係る塀の他の形態を示したもので、柵の支持構造を示した要部断面図、図５はその柵が傾斜した状態を示した断面図である。さらに、図６は他の形態を示したもので柵のストッパを示した要部断面図、図７はストッパが作用している状態を示した要部断面図である。そして、図８および図９は本発明に係る塀のデザインを例示した斜視図である。
【００１３】
図１に示した塀１は、地面１０に構築したコンクリートの基礎体２の上面に、支柱３に横桟４を結合させて格子状に組んだ柵５の支柱３を弾性体６を介して設置したものである。
【００１４】
この塀１では、図２に示したように、柵５の支柱３の下端を、柱状に形成したゴム等の弾性体６に挿入して接着材，焼付け等によって固定し、その弾性体６の基部を基礎体２上部の凹部２ａ内に植設している。
【００１５】
また、この塀１には、柵５の表面に沿ってその幅方向両端部に発光素子７ａ，受光素子７ｂ，コントローラ７ｃ等からなる柵の検知手段と、コントローラ７ｃによって作動されるベル７ｄ等の報知手段とによって構成される警報装置７が設置されている。
【００１６】
このように構成された塀１によれば、侵入者が柵５に手を掛けて登ろうとすると、その柵５に作用する力によって、図３に示したように、柵５が傾動される。したがって、柵５は、忍び返しと同様の状態になって、侵入者が柵５に登るのを阻止する。
また、柵５が傾動されると、柵５の傾動が検知手段によって検知され、報知手段によって警報される。
【００１７】
図４に示した変形例の塀１は、弾性体６として、コイルスプリングを使用している。この塀１では、柵５の支柱３の下端を弾性体としてのスプリング６の上端内に螺合させて係止し、スプリング６の下端を、基礎体２の上面に形成した凹部２ａに挿嵌させ、該凹部２ａに投入したモルタル等によって、スプリング６の下端が基礎体２に確実に固定されている。
【００１８】
このように構成された塀１によれば、図１乃至図３に示した塀１と同様に、侵入者が柵５に手を掛けて登ろうとすると、その柵５に作用する力によって、図５に示したように、柵５が傾動される。したがって、柵５は、忍び返しと同様の状態になって、侵入者が柵５に登るのを阻止する。
【００１９】
図６および図７は、図４および図５に示した塀１に、柵５が所定角度傾動した場合に、柵５がそれ以上傾動しないように、ストッパ８を配設した例を示している。
この塀１では、図６に示したように、湾曲したストッパ８が柵５の支柱３の下部に固設され、柵５が所定角度傾動されると、図７に示したように、ストッパ８の端部が基礎体２の上面に当接し、柵５がそれ以上傾動しないようにしている。
なお、この塀１では、ストッパ８を覆うようにしてゴム等の弾性カバー９が配置され、該カバー９は基礎体２の上面に接着等によって取付けられている。したがって、この塀１では、ストッパ８および弾性体６が隠され、塀１の外観が向上する。
【００２０】
なお、上記実施形態では、塀１の概念的な構造を示しているが、塀１の全体構造の形態としては、図８および図９に示したようなものがある。
図８は、高さの高い基礎体２の上面に、高さの低い柵１を配設した例を示しており、図８（ａ）では、各支柱３に、横桟４を差し渡して設置し、図８（ｂ）では、各支柱３に横桟４をそれぞれ配設するとともに、相隣り合う支柱の横桟４を上下方向にオフセットさせており、図８（ｃ）では、各支柱３を鎖４ａ等によって互いに連結している。
また、図９は、高さの低い基礎体２の上面に、高さの高い柵１を配設した例を示しており、図９（ａ）では、各支柱３に、３本の横桟４をそれぞれ差し渡して設置し、図９（ｂ）では、３本の支柱柱３に２本の横桟４をそれぞれ配設して、柵部分５ａとし、その柵部分５ａを基礎体２の上面に並べて設置し、図９（ｃ）では、各支柱３を鎖４ａ等によって互いに連結している。
なお、図８および図９に示したものは、塀１のデザインを例示したもので、本発明に係る塀１は、上記デザインに限定されない。
【００２１】
また、本発明に係る塀１では、各支柱３の上端部に、忍び返し等を付加設置すれば、侵入者が塀１を越えるのを、さらに確実に阻止することができる。
また、図１では、警報装置７が、光学的な検知手段と音響的な報知手段とによって構成されるとしたが、これに代えて振動センサ、傾斜センサ等の異常検出手段と、光警報（防犯ライトを含む）、電気信号出力装置等の報知手段とによって構成することができる。
【図面の簡単な説明】
【００２２】
【図１】本発明の一実施形態に係る塀の一部を概念的に示した斜視図である。
【図２】図１におけるＡ−Ａ線断面図である。
【図３】図２における柵が傾斜した状態を示した断面図である。
【図４】本発明に係る塀の他の形態を示したもので、柵の支持構造を示した要部断面図である。
【図５】図４に示した柵が傾斜した状態を示した断面図である。
【図６】柵のストッパを示した要部断面図である。
【図７】図６に示した柵が傾動して、ストッパが作用している状態を示した要部断面図である。
【図８】（ａ）〜（ｃ）は、実施形態に係る塀のデザインを例示した斜視図である。
【図９】（ａ）〜（ｃ）は、実施形態に係る塀のデザインを例示した斜視図である。
【符号の説明】
【００２３】
１…塀、  ２…基礎体、  ２ａ…凹部、  ３…支柱、  ４…横桟、  ４ａ…鎖、  ５…柵、  ６…弾性体、  ７…警報装置、  ７ａ…発光素子、  ７ｂ…受光素子、  ７ｃ…コントローラ、  ７ｄ…ベル、  ８…ストッパ、  ９…弾性カバー、  １０…地面
【図１】
2006266066.tif 000003
【図２】
2006266066.tif 000004
【図３】
2006266066.tif 000005
【図４】
2006266066.tif 000006
【図５】
2006266066.tif 000007
【図６】
2006266066.tif 000008
【図７】
2006266066.tif 000009
【図８】
2006266066.tif 000010
【図９】
2006266066.tif 000011